(57)【要約】【課題】同一規格の構成部品を用いて、容易に放電容量を変更することができる電池パックを提供する。【解決手段】電池パックは、複数の電池セル５６が前後方向に配列されてなる複数の組電池５１と、組電池５１を上下方向に積み重ねた状態で上下両側から挟む上セルケース５２及び下セルケース５３と、積み重ねられた各組電池５１間に介在され各電池セル５６を保持する仕切板５４とを有するセルブロック１２を備えた。また、セルブロック１２は、各電池セル５６を上セルケース５２及び下セルケース５３と仕切板５４との間、又は隣接する仕切板５４間にて保持するようにした。そして、仕切板５４を、隣接する上セルケース５２、下セルケース５３及び隣接する仕切板５４のそれぞれに対して固定可能に構成した。【選択図】図５
2010050044.tif 000002
【特許請求の範囲】
【請求項１】
複数の電池セルが該電池セルの長手方向と交差する列方向に配列されてなる複数の組電池と、前記各組電池を前記長手方向及び前記列方向と交差する上下方向に積み重ねた状態で上下両側から挟む一対のセルケースと、積み重ねられた前記各組電池間に介在され前記各電池セルをそれぞれ保持する１つ以上の仕切板とを有し、前記各電池セルを前記セルケースと仕切板との間又は隣接する前記仕切板の間にて保持するセルブロックを備えた電池パックであって、
前記仕切板は、隣接する前記各セルケース及び隣接する前記仕切板のそれぞれに対して固定可能であることを特徴とする電池パック。
【請求項２】
前記一対のセルケースの前記列方向端部には、同一直線上に配置されるケース側挿通孔を有するケース側連結部がそれぞれ形成され、
前記仕切板の前記列方向端部には、前記各第ケース側挿通孔と同一直線上に配置される板側挿通孔を有する板側連結部が形成され、
前記仕切板は、前記各ケース側挿通孔及び前記板側挿通孔にねじが挿通されることで、隣接する前記セルケース及び隣接する前記仕切板に固定されることを特徴とする請求項１に記載の電池パック。
【請求項３】
前記各セルケースの何れか一方の前記列方向端部には、ケース側係合凸部が形成されるとともに、前記各セルケースの何れか他方の前記列方向端部には、ケース側係合凹部が形成され、
前記仕切板の前記列方向端部には、前記ケース側係合凹部と係合可能な板側係合凸部と、前記ケース側係合凸部及び隣接する前記仕切板の前記板側係合凸部と係合可能な板側係合凹部とが形成され、
前記仕切板は、前記板側係合凸部が前記ケース側係合凹部又は隣接する前記仕切板の前記板側係合凹部に係合するとともに、前記板側係合凹部が前記ケース側係合凸部又は隣接する前記仕切板の前記板側係合凸部に係合することで、隣接する前記セルケース及び隣接する前記仕切板に固定されることを特徴とする請求項１又は２に記載の電池パック。
【請求項４】
前記上下両側から前記セルブロックを挟む一対のハウジングと、前記一対のハウジング間に配置される１つ以上の中間部材とを有し、前記セルブロックを内部に収容する筐体を備え、
前記中間部材は、隣接する前記各ハウジング及び隣接する前記中間部材のそれぞれに対して固定可能であることを特徴とする請求項１〜３のうちの何れか一項に記載の電池パック。
【請求項５】
前記一対のハウジングには、同一直線上に配置されるハウジング側挿通孔を有するハウジング側連結部がそれぞれ形成され、
前記中間部材には、前記各ハウジング側挿通孔と同一直線上に配置される中間部材側挿通孔を有する中間部材側連結部が形成され、
前記中間部材は、前記各ハウジング側挿通孔及び前記中間部材側挿通孔にねじが挿通されることで、隣接する前記ハウジング及び隣接する前記中間部材に固定されることを特徴とする請求項４に記載の電池パック。
【発明の詳細な説明】
【技術分野】
【０００１】
本発明は、充電可能な電池パックに関する。
【背景技術】
【０００２】
従来、コードレス電動工具等の電源に用いられる電池パックがある（例えば、特許文献１参照）。一般に、この種の電池パックでは、複数の電池セルを直列に接続した組電池を備えている。
【０００３】
また、特許文献２には、複数の組電池を上下方向に積み重ねて保持するセルブロックを備えた電池パックが開示されている。このセルブロックは、各組電池を上下両側から挟む一対のセルケースと、積み重ねられた各組電池間に介在され各電池セルを保持する仕切板とを備え、各組電池を保持するようになっている。そして、この電池パックでは、積み重ねられた組電池（電池セル）同士を並列に接続することで、その放電容量を確保している。
【特許文献１】特開２００８−８０４２０号公報
【特許文献２】特開２００８−１３２５５０号公報
【発明の開示】
【発明が解決しようとする課題】
【０００４】
ところで、電池パックの放電容量を変更するには、積み重ねられる組電池の数を変更し、並列に接続される組電池（電池セル）の数を変更させる必要がある。しかしながら、上記特許文献２の構成では、一対のセルケースは、該各セルケース同士が直接固定され内部に各電池セルを収容する箱状に構成されているため、積み重ねられる組電池の数を変更しようとすると、その数に応じてセルケースや仕切板等の構成部品の形状を変更しなければならない。そのため、電池パックの放電容量毎に構成部品を製造するための金型が必要となり、コストが増大するという問題があった。
【０００５】
本発明は、上記課題を解決するためになされたものであって、その目的は、同一規格の構成部品を用いて、容易に放電容量を変更することができる電池パックを提供することにある。
【課題を解決するための手段】
【０００６】
上記課題を解決するために、請求項１に記載の発明は、複数の電池セルが該電池セルの長手方向と交差する列方向に配列されてなる複数の組電池と、前記各組電池を前記長手方向及び前記列方向と交差する上下方向に積み重ねた状態で上下両側から挟む一対のセルケースと、積み重ねられた前記各組電池間に介在され前記各電池セルをそれぞれ保持する１つ以上の仕切板とを有し、前記各電池セルを前記セルケースと仕切板との間又は隣接する前記仕切板の間にて保持するセルブロックを備えた電池パックであって、前記仕切板は、隣接する前記各セルケース及び隣接する前記仕切板のそれぞれに対して固定可能であることを要旨とする。
【０００７】
上記構成によれば、各電池セルは、セルブロック内にてセルケースと仕切板との間又は隣接する仕切板間に保持される。そして、仕切板が隣接する各セルケース及び隣接する仕切板のそれぞれに対して固定可能であるため、仕切板の数を変更することでセルブロック内に保持できる組電池の段数を容易に変更することができる。つまり、同一規格（同一形状）のセルケース及び仕切板を用いて、容易に電池パックの放電容量を変更することができる。このように、同一規格の構成部品を用いるため、放電容量毎に構成部品を製造するための金型を用意せずともよく、コスト増大を抑制できる。
【０００８】
請求項２に記載の発明は、請求項１に記載の電池パックにおいて、前記一対のセルケースの前記列方向端部には、同一直線上に配置されるケース側挿通孔を有するケース側連結部がそれぞれ形成され、前記仕切板の前記列方向端部には、前記各第ケース側挿通孔と同一直線上に配置される板側挿通孔を有する板側連結部が形成され、前記仕切板は、前記各ケース側挿通孔及び前記板側挿通孔にねじが挿通されることで、隣接する前記セルケース及び隣接する前記仕切板に固定されることを要旨とする。
【０００９】
上記構成によれば、仕切板は、各ケース側挿通孔及び板側挿通孔にねじが挿通されることで、隣接するセルケース及び隣接する仕切板に固定されるため、例えば係合凸部と係合凹部とを係合させて固定する場合に比べ、強固に隣接するセルケース及び隣接する仕切板に固定できる。
【００１０】
請求項３に記載の発明は、請求項１又は２に記載の発明において、前記各セルケースの何れか一方の前記列方向端部には、ケース側係合凸部が形成されるとともに、前記各セルケースの何れか他方の前記列方向端部には、ケース側係合凹部が形成され、前記仕切板の前記列方向端部には、前記ケース側係合凹部と係合可能な板側係合凸部と、前記ケース側係合凸部及び隣接する前記仕切板の前記板側係合凸部と係合可能な板側係合凹部とが形成され、前記仕切板は、前記板側係合凸部が前記ケース側係合凹部又は隣接する前記仕切板の前記板側係合凹部に係合するとともに、前記板側係合凹部が前記ケース側係合凸部又は隣接する前記仕切板の前記板側係合凸部に係合することで、隣接する前記セルケース及び隣接する前記仕切板に固定されることを要旨とする。
【００１１】
上記構成によれば、仕切板は、板側係合凸部がケース側係合凹部又は隣接する板側係合凹部に係合するとともに、板側係合凹部がケース側係合凸部又は隣接する板側係合凸部に係合することで、隣接するセルケース及び隣接する仕切板に固定される。そのため、例えばねじ等により仕切板を隣接するセルケース又は隣接する仕切板に固定する場合に比べ、部品点数を削減できるとともに、ねじを螺着する作業工程を廃することができる。
【００１２】
請求項４に記載の発明は、請求項１〜３のうちの何れか一項に記載の電池パックにおいて、前記上下両側から前記セルブロックを挟む一対のハウジングと、前記一対のハウジング間に配置される１つ以上の中間部材とを有し、前記セルブロックを内部に収容する筐体を備え、前記中間部材は、隣接する前記各ハウジング及び隣接する前記中間部材のそれぞれに対して固定可能であることを要旨とする。
【００１３】
従来のように、セルブロックを収容する筐体を、一対のハウジング同士が直接固定される箱状に構成した場合には、積み重ねる組電池の数を変更させてセルブロックの大きさ（上下方向の長さ）が変わると、これに応じて各ハウジングの形状を変化させなければならない。このため、セルブロックの大きさ（放電容量）毎にハウジングを製造するための金型が必要となり、コストが増大してしまう。この点、上記構成によれば、中間部材の数を変更することで、ハウジングスの形状を変更させることなく、上下方向長さの異なるセルブロックを保持することができ、電池パックの放電容量を変更することができる。このように、同一規格（同一形状）のハウジング及び中間部材を用いるため、放電容量毎にハウジングを製造するための金型を用意せずともよく、コスト増大をさらに抑制できる。
【００１４】
請求項５に記載の発明は、請求項４に記載の電池パックにおいて、前記一対のハウジングには、同一直線上に配置されるハウジング側挿通孔を有するハウジング側連結部がそれぞれ形成され、前記中間部材には、前記各ハウジング側挿通孔と同一直線上に配置される中間部材側挿通孔を有する中間部材側連結部が形成され、前記中間部材は、前記各ハウジング側挿通孔及び前記中間部材側挿通孔にねじが挿通されることで、隣接する前記ハウジング及び隣接する前記中間部材に固定されることを要旨とする。
【００１５】
上記構成によれば、中間部材は、各ハウジング側挿通孔及び中間部材側挿通孔にねじが挿通されることで、隣接するハウジング及び隣接する中間部材に固定されるため、例えば係合凸部と係合凹部とを係合させて固定する場合に比べ、強固に隣接するハウジング及び隣接する中間部材に固定できる。
【発明の効果】
【００１６】
本発明によれば、同一規格の構成部品を用いて、容易に放電容量を変更することが可能な電池パックを提供することができる。
【発明を実施するための最良の形態】
【００１７】
以下、本発明を具体化した一実施形態を図面に従って説明する。
図１は、コードレス電動工具（図示略）の電源に用いられる電池パック１の斜視図である。電池パック１は、電動工具に対して着脱可能に構成されている。そして、電池パック１は、電動工具に取り付けられた状態で該電動工具に電力を供給するとともに、電動工具から取り外され充電器（図示略）に接続されることで充電されるようになっている。
【００１８】
電池パック１は、略直方体状の筐体１１と、該筐体１１内に収容されるセルブロック１２（図２参照）とを備えている。図２に示すように、筐体１１は、上ハウジング２１及び下ハウジング２２と、これら上ハウジング２１及び下ハウジング２２の間に介在される中間部材２３とを備えている。本実施形態では、上ハウジング２１及び下ハウジング２２により一対のハウジングを構成している。
【００１９】
図２及び図３（ａ）に示すように、上ハウジング２１の上蓋部２５は略平板状に形成されるとともに、該上蓋部２５には、下方（反Ｚ矢印方向）に延びる壁部２６がその外周縁に沿って立設されている。また、上蓋部２５の内底面２５ａの四隅には下方に延びる上ハウジング側連結部２７が形成されている。この上ハウジング側連結部２７には下方に開口した上ハウジング側挿通孔２８が形成されている。なお、上ハウジング側挿通孔２８の内周面にはねじ溝が螺刻されている。
【００２０】
また、図１に示すように、上ハウジング２１の上蓋部２５には、上方に突出した台座部３０が前後方向（Ｙ矢印方向及び反Ｙ矢印方向）に沿って膨出形成されている。この台座部３０の後方（反Ｙ矢印方向）には、電動工具の接続端子（図示略）が挿入される複数（本実施形態では、３本）の挿入溝３１が形成されている。また、台座部３０の左右方向（Ｘ矢印方向及び反Ｘ矢印方向）両側には、電動工具の係止片（図示略）が挿入されて係止する複数（本実施形態では、３対）のフック３２がそれぞれ形成されている。
【００２１】
一方、図２及び図３（ｂ）に示すように、下ハウジング２２の下蓋部３４は略平板状に形成されるとともに、該下蓋部３４には、上方（Ｚ矢印方向）に延びる壁部３５がその外周縁に沿って立設されている。また、下蓋部３４の内底面３４ａの四隅には、上ハウジング側連結部２７と対応する位置に下ハウジング側連結部３６が形成されている。この下ハウジング側連結部３６には、下ハウジング側挿通孔３７が上ハウジング側挿通孔２８と同一直線上になるように上下方向（Ｚ矢印方向及び反Ｚ矢印方向）に沿って、図４に示すように、貫通形成されている。従って、本実施形態では、上ハウジング２１と下ハウジング２２とを直接連結固定することが可能になっている。なお、下ハウジング側挿通孔３７の内周面にはねじ溝が螺刻されていない。
【００２２】
また、図２及び図３（ｃ）に示すように、中間部材２３は、壁部２６，３５と略同じ外形の四角枠状に形成されている。そして、中間部材２３の内周側の四隅には、中間部材側連結部３９が形成されている。図４に示すように、この各中間部材側連結部３９の上端部には、上ハウジング側連結部２７を挿入可能な大径部４０が形成されている。また、中間部材側連結部３９の下端には、上ハウジング側連結部２７と同径、且つ同一の上下方向長さを有する連設部４１が設けられている。従って、複数の中間部材２３が上下方向に重ね合わされた時には、中間部材２３の連設部４１は隣接する中間部材２３の大径部４０に挿入される。
【００２３】
各中間部材側連結部３９には、中間部材側挿通孔４２が上ハウジング側挿通孔２８及び下ハウジング側挿通孔３７と同一直線上に配置されるように上下方向に沿って貫通形成されている。なお、中間部材側挿通孔４２の内周面にはねじ溝が螺刻されていない。そして、上ハウジング２１、下ハウジング２２及び中間部材２３は、内部にセルブロック１２を配置した状態で、各ねじ４３をそれぞれ下ハウジング側挿通孔３７及び中間部材側挿通孔４２に挿通し、上ハウジング側挿通孔２８に螺入することで互いに固着されるようになっている。従って、上ハウジング側連結部２７及び下ハウジング側連結部３６によってハウジング側連結部が構成されている。また、上ハウジング側挿通孔２８及び下ハウジング側挿通孔３７によりハウジング側挿通孔が構成されている。
【００２４】
なお、セルブロック１２と上ハウジング２１との間には、ロック部材４５が設けられている。ロック部材４５は、上ハウジング２１のフック３２に挿入された電動工具の係止片の脱落を防止する。
【００２５】
次に、セルブロック１２について説明する。
図５に示すように、セルブロック１２は、複数（本実施形態では、２段）の組電池５１を保持している。セルブロック１２は、上セルケース５２及び下セルケース５３と、仕切板５４とを備えている。本実施形態では、上セルケース５２及び下セルケース５３によって一対のセルケースを構成している。
【００２６】
組電池５１は、複数（本実施形態では、３つ）の電池セル５６からなる。各電池セル５６は、円柱状に形成されるとともに、その長手方向の両端に正極５６ａ及び負極５６ｂが形成されている。そして、各電池セル５６は、その長手方向が電池パック１の左右方向と一致するとともに、前後方向に沿って正極５６ａと負極５６ｂとが互い違いになるようにして配列されている。従って、本実施形態では、前後方向が各電池セル５６の配列される列方向となる。なお、電池セル５６には、リチウムイオン電池等の二次電池が用いられている。
【００２７】
上セルケース５２及び下セルケース５３は、それぞれ左右方向視半円形状の凹部５８，５９を列方向に複数（３つ）有する波板状に形成されている。凹部５８，５９は、その内径が電池セル５６の外径と略同一となるように形成されている、即ち、凹部５８，５９の上下方向長さ（深さ）が電池セル５６の半径と等しくなるように形成されている（図９（ｂ）参照）。従って、各凹部５８，５９には、各電池セル５６の外周面の一部が密着されるようになっている。そして、上セルケース５２の凹部５８と、下セルケース５３の凹部５９とは、互いに対向するように配置されている。
【００２８】
仕切板５４は、平板状の本体部６１と、同本体部６１の上下両面に立設される複数（本実施形態では４つ）の隔壁６２とを備えている。各隔壁６２は、左右方向に沿った長方形板状に形成されるとともに、前後方向に等間隔で立設されている。また、各隔壁６２は、電池セル５６の半径と等しい高さに形成されている。そして、各隔壁６２の対向面には、電池セル５６の外周面に沿うような円弧状の保持部６３が多数形成されている（図９（ｂ）参照）。これにより、各保持部６３に各電池セル５６の外周面の一部が密着するようになっている。
【００２９】
そして、各組電池５１は、上セルケース５２と仕切板５４との間、及び仕切板５４と下セルケース５３との間にそれぞれ配置されることによってセルブロック１２に保持される。このとき、各電池セル５６は、上セルケース５２及び下セルケース５３の各凹部５８，５９と仕切板５４の各保持部６３との間にそれぞれ個別に保持される。これにより、電池セル５６相互の相対的な移動を抑え、電池パック１に振動や衝撃が作用しても各電池セル５６相互間での電気的絶縁を確保するようにしている。
【００３０】
また、セルブロック１２は、各電池セル５６を電気的に接続する複数（本実施形態では、２つ）の連絡板６５、各組電池５１から電力を取り出すための正極端子６６及び負極端子６７と、正極端子６６及び負極端子６７が電気的に接続される回路基板６８とを備えている。
【００３１】
連絡板６５、正極端子６６及び負極端子６７はそれぞれ上セルケース５２に固定されている。連絡板６５は、各組電池５１同士を並列に接続するとともに、各組電池５１内の電池セル５６を直列に接続している。また、正極端子６６は、各組電池５１の正極５６ａに電気的に接続されるとともに、負極端子６７は、各組電池５１の負極５６ｂに電気的に接続されている。そして、正極端子６６及び負極端子６７は、回路基板６８と電気的に接続されている。なお、各連絡板６５、正極端子６６及び負極端子６７と各電池セル５６の正極５６ａ及び負極５６ｂとは、溶接により固定されている。
【００３２】
本実施形態では、セルブロック１２の前後方向両側には、平板状の緩衝材６９が固着されている。これにより、筐体１１内でのセルブロック１２の位置ずれが規制されるとともに、電池パック１に加わる振動や衝撃からセルブロック１２が保護されるようになっている。
【００３３】
回路基板６８は、上セルケース５２の上面に固定されている。回路基板６８には、電動工具の端子（図示略）と接続される複数（本実施形態では３つ）の接続端子７１が実装されている。なお、各接続端子７１は、上ハウジング２１の挿入溝３１に対応した位置に配置されている。そして、所定の接続端子７１間には、各組電池５１に基づく所定の電圧が発生するようになっている。
【００３４】
次に、セルブロック１２の固定構造について説明する。
仕切板５４は、隣接する上セルケース５２、下セルケース５３及び隣接する他の仕切板のそれぞれに対して固定可能に構成されている。
【００３５】
詳述すると、図６（ａ）に示すように、上セルケース５２の前側（Ｙ矢印方向）端部には、前方に突出する複数（本実施形態では、２つ）の上ケース側連結部８１が形成されている。各上ケース側連結部８１には、上下方向に貫通した上ケース側挿通孔８２がそれぞれ形成されている。なお、上ケース側挿通孔８２の内周面にはねじ溝が螺刻されていない。
【００３６】
一方、図６（ｂ）に示すように、下セルケース５３の前側端部には、上ケース側連結部８１と対応する位置に前方に突出する複数（本実施形態では、２つ）の下ケース側連結部８３が形成されている。各下ケース側連結部８３には、上ケース側挿通孔８２と対応した位置に上方に開口した下ケース側挿通孔８４がそれぞれ形成されている。なお、下ケース側挿通孔８４の内周面にはねじ溝が螺刻されている。
【００３７】
また、上セルケース５２の後側（反Ｙ矢印方向）端部には、図７（ａ）に示すように、下方（反Ｚ矢印方向）に延びるケース側延出部８６が形成されるとともに、ケース側延出部８６には、前後方向に貫通したケース側係合凹部としてのケース側フック孔８７が形成されている。また、下セルケース５３の後側端部には、図７（ｂ）に示すように、前記ケース側フック孔８７に係合可能なケース側係合凸部としてのケース側突部８８が形成されている。従って、本実施形態では、上セルケース５２と下セルケース５３とを直接固定することが可能になっている。
【００３８】
図８（ａ）に示すように、仕切板５４の前側（Ｙ矢印方向）端部に配置された隔壁６２であって、上セルケース５２及び下セルケース５３の上ケース側連結部８１及び下ケース側連結部８３と対応する位置には、複数（本実施形態では、２つ）の板側連結部９１が形成されている。
【００３９】
この板側連結部９１の上下方向の長さは、その上下両端が上側の隔壁６２の上端と下側の隔壁６２の下端とそれぞれ一致するように形成される。この板側連結部９１には、板側挿通孔９２が上ケース側挿通孔８２及び下ケース側挿通孔８４と同一直線上に形成されるように上下方向に沿って貫通形成されている。つまり、板側連結部９１は、隣接する上ケース側連結部８１及び下ケース側連結部８３のそれぞれに対して連結固定可能に構成されている。また、複数の仕切板５４を上下方向に重ね合わせた時、一の仕切板５４の板側連結部９１は、隣接する仕切板５４の板側連結部９１に連結固定可能に構成されている。なお、板側挿通孔９２の内周面にはねじ溝が螺刻されていない。
【００４０】
そして、上セルケース５２、下セルケース５３及び仕切板５４は、図９（ａ），（ｂ）に示すように、各ねじ９３がそれぞれ上ケース側挿通孔８２及び板側挿通孔９２に挿通され、下ケース側挿通孔８４に螺入されることによって互いに固定されている。そして、本実施形態では、上ケース側連結部８１及び下ケース側連結部８３によってケース側連結部を構成している。また、上ケース側挿通孔８２及び下ケース側挿通孔８４によってケース側挿通孔を構成している。
【００４１】
また、図８（ｂ）に示すように、仕切板５４における後側（反Ｙ矢印方向）端部の上側の隔壁６２には、ケース側フック孔８７に係合可能な板側係合凸部としての板側突部９５が形成されている。また、仕切板５４後側端部の下側の隔壁６２には、下方に延びる板側延出部９６が形成されている。この板側延出部９６には、前後方向に貫通しケース側突部８８と係合可能な板側係合凹部としての板側フック孔９７が形成されている。
【００４２】
そして、図１０（ａ），（ｂ）に示すように、上セルケース５２、下セルケース５３及び仕切板５４は、板側突部９５がケース側フック孔８７に係合するとともに、板側フック孔９７がケース側突部８８に係合して互いに固定されるようになっている。
【００４３】
なお、複数の仕切板５４を上下方向に重ね合わせた時、一の仕切板５４の板側突部９５は、上方に隣接する仕切板５４の板側フック孔９７と係合し、前記一の仕切板５４の板側フック孔９７は、下方に隣接する仕切板５４の板側突部９５のそれぞれに対して係合するようになっている。
【００４４】
このように構成された電池パック１は、仕切板５４の数を変更することで、上セルケース５２及び下セルケース５３の形状を変更することなく、保持する組電池５１の段数を変更できる。そして、中間部材２３の数を変更することで、上ハウジング２１及び下ハウジング２２の形状を変更することなく、大きさ（上下方向長さ）の異なるセルブロック１２を保持できる。
【００４５】
具体的には、図１１（ａ），（ｂ）に示すように、中間部材２３及び仕切板５４を取り除くことで、１段の組電池５１を保持することができる。この場合には、上ハウジング２１と下ハウジング２２とを直接固定するとともに、上セルケース５２と下セルケース５３と直接固定する。これにより、同一規格（同一形状）の上ハウジング２１、下ハウジング２２、上セルケース５２及び下セルケース５３により１段の組電池５１を保持できる。
【００４６】
また、図１２（ａ），（ｂ）に示すように、中間部材２３及び仕切板５４をそれぞれ２つ設けることで、３段の組電池５１を保持することができる。この場合には、上ハウジング２１と下ハウジング２２との間に２つの中間部材２３を介在させるとともに、上セルケース５２と下セルケース５３との間に２つの仕切板５４を介在させる。これにより、同一規格（同一形状）の上ハウジング２１、下ハウジング２２、中間部材２３、上セルケース５２、下セルケース５３及び仕切板５４により、３段の組電池５１を保持できる。同様に、中間部材２３及び仕切板５４の数を増やすことで、多段の組電池５１を保持することができる。
【００４７】
以上記述したように、本実施形態によれば、以下の作用・効果を奏する。
（１）電池パック１は、複数の電池セル５６が前後方向に配列されてなる複数の組電池５１と、組電池５１を上下方向に積み重ねた状態で上下両側から挟む上セルケース５２及び下セルケース５３と、積み重ねられた各組電池５１間に介在され各電池セル５６を保持する仕切板５４とを有するセルブロック１２を備えた。また、セルブロック１２は、各電池セル５６を上セルケース５２及び下セルケース５３と仕切板５４との間、又は隣接する仕切板５４間にて保持するようにした。そして、仕切板５４を、隣接する上セルケース５２、下セルケース５３及び隣接する仕切板５４のそれぞれに対して固定可能に構成した。そのため、仕切板５４の数を変更することでセルブロック１２内に保持できる組電池５１の段数を容易に変更することができる。つまり同一規格（同一形状）の上セルケース５２、下セルケース５３及び仕切板５４を用いて、容易に電池パック１の放電容量を変更することができる。このように、同一規格の上セルケース５２、下セルケース５３及び仕切板５４を用いるため、放電容量毎に上セルケース５２、下セルケース５３及び仕切板５４を製造するための金型を用意せずともよく、コスト増大を抑制できる。
【００４８】
（２）上ケース側連結部８１及び下ケース側連結部８３に、上下方向に貫通した上ケース側挿通孔８２及び下ケース側挿通孔８４を同一直線上になるようにそれぞれ形成し、板側連結部９１に上ケース側挿通孔８２及び下ケース側挿通孔８４と同一直線上になるような板側挿通孔９２を形成した。そして、仕切板５４を、各上ケース側挿通孔８２、下ケース側挿通孔８４及び板側挿通孔９２にねじ９３を挿通することで、隣接する上セルケース５２、下セルケース５３及び隣接する仕切板５４に固定した。そのため、例えば仕切板５４を凹凸係合により隣接する上セルケース５２、下セルケース５３及び隣接する仕切板５４に固定する場合に比べ、強固に固定できる。
【００４９】
（３）上セルケース５２の後側端部にケース側フック孔８７を有するケース側延出部８６を形成するとともに、下セルケース５３の後側端部にケース側突部８８を形成した。また、仕切板５４の後側端部に、ケース側フック孔８７と係合可能な板側突部９５と、ケース側突部８８及び板側突部９５と係合可能な板側フック孔９７を有する板側延出部９６とを形成した。そして、仕切板５４を、板側突部９５をケース側フック孔８７又は隣接する板側フック孔９７に係合するとともに、板側フック孔９７をケース側突部８８又は隣接する板側突部９５に係合することで、隣接する上セルケース５２、下セルケース５３及び隣接する仕切板５４に固定した。そのため、例えばねじ等により上セルケース５２、下セルケース５３及び仕切板５４を互いに固定する場合に比べ、部品点数を削減できるとともに、ねじを螺着する作業工程を廃することができる。
【００５０】
（４）中間部材２３を隣接する上ハウジング２１、下ハウジング２２及び隣接する中間部材２３のそれぞれに対して固定可能に構成した。
ここで、従来（例えば、特許文献２参照）のようにセルブロック１２を収容する筐体１１を、一対のハウジング同士が直接固定される箱状に構成した場合には、積み重ねる組電池５１の数を変更させてセルブロック１２の大きさ（上下方向の長さ）が変わると、これに応じて各ハウジングの形状を変化させなければならない。このため、セルブロック１２の大きさ（放電容量）毎に上ハウジングを製造するための金型が必要となり、コストが増大してしまう。この点、本実施形態によれば、中間部材２３の数を変更することで、上ハウジング２１及び下ハウジング２２の形状を変更させることなく、上下方向長さの異なるセルブロック１２を保持することができ、電池パック１の放電容量を変更することができる。このように、同一規格の上ハウジング２１、下ハウジング２２及び筐体１１を用いるため、放電容量毎にハウジングを製造するための金型を用意せずともよく、コスト増大をさらに抑制できる。
【００５１】
（５）上ハウジング側連結部２７及び下ハウジング側連結部３６に、上下方向に貫通した上ハウジング側挿通孔２８及び下ハウジング側挿通孔３７を同一直線上になるようにそれぞれ形成し、中間部材２３に各上ハウジング側挿通孔２８及び下ハウジング側挿通孔３７と同一直線上になるような中間部材側挿通孔４２を形成した。そして、中間部材２３を、各上ハウジング側挿通孔２８、下ハウジング側挿通孔３７及び中間部材側挿通孔４２にねじ４３を挿通することで、隣接する上ハウジング２１、下ハウジング２２及び隣接する中間部材２３に固定した。そのため、例えば中間部材２３を凹凸係合により隣接する上ハウジング２１、下ハウジング２２及び隣接する中間部材２３に固定する場合に比べ、強固に固定できる。
【００５２】
（６）上セルケース５２と下セルケース５３とを直接連結固定することを可能にしたため、上セルケース５２及び下セルケース５３のみにより１段の組電池５１を保持できる。
（７）上ハウジング２１と下ハウジング２２とを直接固定することを可能にするとともに、一段の組電池５１を保持するセルブロック１２を上ハウジング２１及び下ハウジング２２により収容可能にした。そのため、一段の組電池５１を保持するセルブロック１２を収容する場合に、中間部材２３を省くことができ、部品点数を削減できる。
【００５３】
（８）中間部材側連結部３９の下端に上ハウジング側連結部２７と同径、且つ同一の上下方向長さを有する連設部４１を設けるとともに、中間部材側連結部３９の上端部に上ハウジング側連結部２７及び隣接する中間部材２３の連設部４１を挿入可能な大径部４０を形成した。そのため、複数の中間部材２３を上ハウジング２１と下ハウジング２２との間に介在させる場合でも、上ハウジング側連結部２７及び連設部４１が大径部４０に挿入されることで、中間部材２３と上ハウジング２１及び下ハウジング２２との位置ずれを防止でき、筐体１１の組み付け性を向上できる。
【００５４】
なお、本実施形態は、以下の態様で実施してもよい。
・上記実施形態では、ケース側延出部８６に前後方向に貫通したケース側フック孔８７を形成したが、これに限らず、ケース側延出部８６に板側突部９５が係合可能な前後方向に貫通しない凹部を形成してもよい。同様に、板側延出部９６にケース側突部８８及び板側突部９５の双方が係合可能な前後方向に貫通しない凹部を形成してもよい。
【００５５】
・上記実施形態では、上セルケース５２及び下セルケース５３の前側端部に、複数の上ケース側連結部８１及び下ケース側連結部８３をそれぞれ形成し、仕切板５４に複数の板側連結部９１を形成したが、これに限らず、上ケース側連結部８１及び下ケース側連結部８３及び板側連結部９１は一つでもよい。
【００５６】
・上記実施形態において、上セルケース５２及び下セルケース５３の前後両端部に上ケース側連結部８１及び下ケース側連結部８３をそれぞれ形成するとともに、仕切板５４の前後両端部に板側連結部９１を形成し、ケース側延出部８６、ケース側突部８８、板側延出部９６及び板側突部９５を形成せずともよい。
【００５７】
また、上セルケース５２及び下セルケース５３の前後両端部にケース側延出部８６及びケース側突部８８を形成するとともに、仕切板５４の前後両端部に板側延出部９６及び板側突部９５を形成し、上ケース側連結部８１及び下ケース側連結部８３及び板側連結部９１を形成せずともよい。
【００５８】
さらに、上セルケース５２及び下セルケース５３の前後両端部に上ケース側連結部８１及び下ケース側連結部８３、ケース側延出部８６及びケース側突部８８を形成するとともに、仕切板５４の前後両端部に板側連結部９１、板側延出部９６及び板側突部９５を形成してもよい。
【００５９】
さらにまた、上セルケース５２及び下セルケース５３の前後方向の片側端部のみに上ケース側連結部８１及び下ケース側連結部８３、又はケース側延出部８６及びケース側突部８８をそれぞれ形成するとともに、仕切板５４の前後方向の片側端部のみに板側連結部９１、又は板側延出部９６及び板側突部９５を形成してもよい。
【００６０】
・上記実施形態では、電池パック１の左右方向と電池セル５６の長手方向とが一致していたが、これに限らず、例えば電池セル５６の長手方向が電池パック１の左右方向及び前後方向と交差するように、セルブロック１２を筐体１１内に収容してもよい。
【００６１】
・上記実施形態では、上ハウジング２１及び下ハウジング２２からなる筐体１１にて、１段の組電池５１を保持するセルブロック１２を収容したが、これに限らず、上ハウジング２１、下ハウジング２２及び中間部材２３からなる筐体１１にて１段の組電池５１を保持するセルブロック１２を収容するようにしてもよい。
【００６２】
・上記実施形態では、上ハウジング２１と下ハウジング２２との間に中間部材２３を介在させたが、これに限らず、セルブロック１２の大きさに応じて、上ハウジング２１及び下ハウジング２２の形状を変更し、中間部材２３を介在させずともよい。
【００６３】
・上記実施形態では、上セルケース５２にケース側フック孔８７を有するケース側延出部８６を形成するとともに、下セルケース５３にケース側突部８８を形成したが、これに限らず、上セルケース５２にケース側突部を形成するとともに、下セルケース５３にケース側フック孔を有し上方に延出されるケース側延出部を形成してもよい。
【００６４】
・上記実施形態では、上ケース側挿通孔８２及び板側挿通孔９２の内周面にねじ溝が螺刻せず、下ケース側挿通孔８４の内周面にねじ溝が螺刻したが、これに限らず、上セルケース５２、下セルケース５３及び仕切板５４を、ねじにより固定できればよく、例えば上ケース側挿通孔８２及び下ケース側挿通孔８４の両方にねじ溝を螺刻してもよい。また、上下両側からねじにて固定してもよい。
【００６５】
同様に、上ハウジング２１、下ハウジング２２及び中間部材２３がねじにより固定できればよく、上ハウジング側挿通孔２８にねじ溝を螺刻するとともに、下ハウジング側挿通孔３７及び中間部材側挿通孔４２にねじ溝を螺刻しない構成に限らない。
【００６６】
・上記実施形態では、中間部材２３を、ねじ４３により隣接する上ハウジング２１、下ハウジング２２及び隣接する中間部材２３に固定したが、これに限らず、凹凸係合などその他の構成により中間部材２３を固定するようにしてもよい。
【００６７】
・上記実施形態では、仕切板５４を、ねじ９３及び凹凸係合により隣接する上セルケース５２、下セルケース５３及び隣接する仕切板５４に固定したが、これに限らず、その他の構成により仕切板５４を固定するようにしてもよい。
【図面の簡単な説明】
【００６８】
【図１】２段の組電池を有する電池パックの斜視図。
【図２】２段の組電池を有する電池パックの分解斜視図。
【図３】（ａ）上ハウジングの底面図、（ｂ）下ハウジングの上面図、（ｃ）中間部材の上面図。
【図４】図３（ｂ）のＡ−Ａ線断面を含み、２段の組電池を有する電池パックの断面図。
【図５】２段の組電池を有するセルブロックの分解斜視図。
【図６】（ａ）上セルケースの上面図、（ｂ）下セルケースの上面図。
【図７】（ａ）上セルケースの背面図、（ｂ）下セルケースの背面図。
【図８】（ａ）仕切板の上面図、（ｂ）仕切板の背面図。
【図９】（ａ）２段の組電池を有するセルブロックの正面図、（ｂ）（ａ）のＢ−Ｂ線断面図。
【図１０】（ａ）２段の組電池を有するセルブロックの背面図、（ｂ）（ａ）のＣ−Ｃ線断面図。
【図１１】（ａ）１段の組電池を有する電池パックの斜視図、（ｂ）（ａ）の分解斜視図。
【図１２】（ａ）３段の組電池を有する電池パックの斜視図、（ｂ）（ａ）の分解斜視図。
【符号の説明】
【００６９】
１…電池パック、１１…筐体、１２…セルブロック、２３…中間部材、２７…上ハウジング側連結部、２８…上ハウジング側挿通孔、３６…下ハウジング側連結部、３７…下ハウジング側挿通孔、３９…中間部材側連結部、４２…中間部材側挿通孔、４３，９３…ねじ、５１…組電池、５４…仕切板、５６…電池セル、８１…上ケース側連結部、８２…上ケース側挿通孔、８３…下ケース側連結部、８４…下ケース側挿通孔、８７…ケース側フック孔、８８…ケース側突部、９１…板側連結部、９２…板側挿通孔、９５…板側突部、９７…板側フック孔。
【図１】
2010050044.tif 000003
【図２】
2010050044.tif 000004
【図３】
2010050044.tif 000005
【図４】
2010050044.tif 000006
【図５】
2010050044.tif 000007
【図６】
2010050044.tif 000008
【図７】
2010050044.tif 000009
【図８】
2010050044.tif 000010
【図９】
2010050044.tif 000011
【図１０】
2010050044.tif 000012
【図１１】
2010050044.tif 000013
【図１２】
2010050044.tif 000014